(57)【要約】【課題】愛玩動物の毛並みを整えるとともに、周囲に付着した毛などの塵芥を容易に払拭し、携帯、保管および管理を容易に行う。【解決手段】本発明の愛玩動物用の清掃具付ブラシ１００は、板状体２１の一方の面に多数の突起２２を備えたブラシ部２と、ブラシ部２の他方の面２１ｂに配設され、清掃対象物に擦り付けられて清掃対象物に付着した塵芥を払拭する除去部３とを有し、ブラシ部２と除去部３とが一体に設けられていることを特徴とする。【選択図】図３
2011050353.tif 000002
【特許請求の範囲】
【請求項１】
板状体の一方の面に多数の突起を備えたブラシ部と、
前記ブラシ部の他方の面に配設され、清掃対象物に擦り付けられて清掃対象物に付着した塵芥を払拭する除去部とを有し、
前記ブラシ部と前記除去部とが一体に設けられていることを特徴とする愛玩動物用の清掃具付ブラシ。
【請求項２】
前記ブラシ部および前記除去部が、接着剤を用いて接着されている請求項１記載の愛玩動物用の清掃具付ブラシ。
【請求項３】
前記ブラシ部の他方の面には、前記除去部が嵌め入れられる凹部が形成されている請求項２記載の愛玩動物用の清掃具付ブラシ。
【請求項４】
前記凹部の底面には、平面視で環状を呈した凸条が形成され、
前記接着剤は、該凸条の外側に塗布される請求項３に記載の愛玩動物用の清掃具付ブラシ。
【発明の詳細な説明】
【技術分野】
【０００１】
本発明は、愛玩動物の毛の処理に用いる愛玩動物用の清掃具付ブラシに関する。
【背景技術】
【０００２】
従来、犬や猫などの愛玩動物の毛の処理として、飼い主や理容師などが、愛玩動物の毛並みを、ブラシで整えるグルーミングが行なわれている。
【０００３】
このようなグルーミングの作業では、ブラッシングの際に愛玩動物の毛が抜け、周囲に散乱する。そして、グルーミングの作業を行っている場所の周囲に敷設されたカーペットや、グルーミングの作業を行っている者の衣類（以下、布等という）には、愛玩動物から抜け落ちた毛などの塵芥が、大量に付着しやすい。
【０００４】
特許文献１には、カーペット等の清掃用具が開示されている。このなかで、カーペット、衣類等に付着した愛玩動物の毛を除去するために、専用の除去具を用いることが説明されている。
【先行技術文献】
【特許文献】
【０００５】
【特許文献１】特許第３５７０５４２号公報
【発明の概要】
【発明が解決しようとする課題】
【０００６】
しかしながら、上記従来の技術では、周囲に散らばって布等に付着した毛の除去作業が、グルーミングの作業に付随しがちな作業であるにも関わらず、これらの作業にあたっては、グルーミング用のブラシおよび除去具という２つの別個の道具を用いている。そのため、これら２つの道具の携帯、管理および保管がし難くなる上、これらの道具の交換作業にも手間取り、愛玩動物の世話が繁雑になってしまうという問題がある。
【０００７】
本発明は、上記従来の問題に鑑みてなされたものであり、愛玩動物の毛並みを整えることができるとともに、周囲に付着した塵芥を容易に払拭することができ、携帯、保管および管理を容易に行うことができる愛玩動物用の清掃具付ブラシを提供することを目的としている。
【課題を解決するための手段】
【０００８】
本発明の愛玩動物用の清掃具付ブラシは、板状体の一方の面に多数の突起を備えたブラシ部と、前記ブラシ部の他方の面に配設され、清掃対象物に擦り付けられて清掃対象物に付着した塵芥を払拭する除去部とを有し、前記ブラシ部と前記除去部とが一体に設けられていることを特徴とする。
【０００９】
この発明の愛玩動物用の清掃具付ブラシは、ブラシ部と除去部とが一体に設けられたものである。すなわち、愛玩動物の毛並みを整える場合には、清掃具付ブラシのブラシ部が用いられ、清掃対象物に付着した塵芥を払拭する場合には、清掃具付ブラシの除去部が用いられる。これらブラシ部と除去部とが一体にされていることで、２個の物体を持ち運ぶよりも携帯し易く、保管・管理に関しても保管場所等の分別が必要なく、保管・管理を容易に行うことができる。したがって、愛玩動物の毛並みを整えることができるとともに、清掃対象物に付着した塵芥を容易に払拭することができ、携帯、保管および管理を容易に行うことができる。しかも、毛並みを整える作業から、布等に付着した毛などの塵芥を払拭する作業への移行も、速やかに完了することができる。
【００１０】
また、前記ブラシ部および前記除去部が、接着剤を用いて接着されていることが好ましい。
【００１１】
この発明によれば、ブラシ部と除去部とが接着剤で接着されて一体化されるので、除去部を摩擦の大きな清掃対象物に擦り付けてもブラシ部と除去部とが分離しないように、強固に一体化できる。
【００１２】
また、前記ブラシ部の他方の面には、前記除去部が嵌め入れられる凹部が形成されていることが好ましい。
【００１３】
この発明によれば、除去部を、ブラシ部の他方の面に形成された凹部内に嵌め入れて一体化することで、より大きな摩擦力を受け易い除去部は、凹部を形成する側壁によってその移動が規制される。したがって、除去部は、ブラシ部の所定の位置に保持され、ブラシ部と除去部との確実な一体化を図ることができる。
【００１４】
また、前記凹部の底面には、平面視で環状を呈した凸条が形成され、前記接着剤は、該凸条の外側に塗布されることが好ましい。
【００１５】
この発明によれば、接着剤の塗布位置が凸条を境に特定されることで、接着剤の塗布作業が容易になる。
【発明の効果】
【００１６】
この発明の愛玩動物用の清掃具付ブラシによれば、愛玩動物の毛並みを整えることができるとともに、周囲に付着した毛などの塵芥を容易に払拭することができ、携帯、保管および管理を容易に行なうことができる。
【図面の簡単な説明】
【００１７】
【図１】愛玩動物用の清掃具付ブラシの斜視図であり、ブラシ部側を示す。
【図２】愛玩動物用の清掃具付ブラシの斜視図であり、除去部側を示す。
【図３】愛玩動物用の清掃具付ブラシの側面図である。
【図４】ブラシ部の構造を説明するための図であり、（ａ）はブラシ部の背面図を示し、（ｂ）は（ａ）のＶ−Ｖ線断面図を示す。
【図５】ブラシ部に形成される突起を説明するための斜視図であり、（ａ）は円錐状を呈した突起を示し、（ｂ）は平面視で十字状を呈した突起を示す。
【発明を実施するための形態】
【００１８】
以下で、本実施の形態の愛玩動物用の清掃具付ブラシについて、図面を用いて詳細に説明する。
【００１９】
図１および図２は、愛玩動物用の清掃具付ブラシ１００の斜視図であり、図１がブラシ部２側を示し、図２が除去部３側を示す。図３は、愛玩動物用の清掃具付ブラシ１００の側面図である。
【００２０】
本実施の形態の愛玩動物用の清掃具付ブラシ１００は、図１〜図３に示されるように、犬・猫等の愛玩動物の毛並みを整えるブラシ部２と、絨毯・カーペットを含む布等の清掃対象物に付着した毛などの塵芥を払拭する除去部３とを有する。ブラシ部２と除去部３とは、別個の部材が接合されることにより一体に設けられている。
【００２１】
ブラシ部２は、指で押圧して変形する程度の弾性を有するエラストマーにより形成された部材である。ブラシ部２は、基部（板状体）２１と、突起２２と、側壁部２３とを含む。これら基部２１、突起２２および側壁部２３は、同一の材質により一体成形されている。
【００２２】
ブラシ部２の材質としては、たとえば、アクリルゴム、アクリロニトリルブタジエンゴム、イソプレンゴム、ウレタンゴム、エチレンプロピレンゴム、エピクロルヒドリンゴム、クロロプレンゴム、シリコーンゴム、スチレンブタジエンゴム、ブタジエンゴム、フッ素ゴム、ポリイソブチレンなどの合成ゴム、天然ゴム、熱可塑性エラストマー（ＴＰＥ）、所定の弾性を有する合成樹脂などが挙げられる。本実施の形態では、ブラシ部２の材質として、適度な粘性と弾性により、毛を効率的に絡みとることができ、またマッサージ効果にも良好であることから、熱可塑性エラストマー（ＴＰＥ）を用いている。
【００２３】
図４は、ブラシ部２の構造を説明するための図であり、図４（ａ）はブラシ部２の背面図を示し、図４（ｂ）は図４（ａ）のＶ−Ｖ線断面図を示す。
【００２４】
基部２１は、図３および図４に示されるように、板状を呈し、平面視では、中間部分がゆるやかに狭窄した、いわゆる、ひょうたん形状を呈している。基部２１の平面形状は、とくに限定されるものではなく、作業者の手のひらに納まり、作業者が握り易い形状であればよい。
【００２５】
図５は、ブラシ部２に形成される突起２２を説明するための斜視図であり、（ａ）は円錐台状を呈した突起２２を示す。
【００２６】
突起２２は、基部２１の前面（一方の面）側に突出して複数設けられる。グルーミングの際には、この突起２２が形成された側が、愛玩動物に向けられて使用される。突起２２は、図５（ａ）に示されるように、略円錐台状を呈した主柱２２ａと、主柱２２ａの周側面の基端部に４ケ所等間隔に形成されたリブ２２ｂとを含む。リブ２２ｂの形状は、突起２２の基端部から先端部へ向けて先細りになっている。リブ２２ｂがこのような形状を呈していることにより、突起２２の先端側の剛性と基端側の剛性とに変化を与え、コシのある突起を得ることができる。また、突起２２が、このように複合的な形状を呈していることで、グルーミングの際に、愛玩動物の毛が接触する表面積を広げ、愛玩動物の毛を効率よく所定の方向に引っ張ることで、愛玩動物の毛の処理が行なわれる。また、このように突起２２が円錐台状の主柱２２ａとリブ２２ｂによる複合的な形状に形成されることにより、突起２２の基部の剛性を向上させて、ブラッシング効果を得つつ、適度なマッサージ効果も得ることができる。
【００２７】
側壁部２３は、基部２１の背面側に突出し、基部２１の周縁に沿って連なって形成された部分である。
【００２８】
上述の基部２１の背面（他方の面）（以下、底面２１ｂという）と、側壁部２３の内側面とによって凹部２ａが構成されている。この凹部２ａには、除去部３が嵌め入れられる。これによって、除去部３が布等に擦り付けられることによって、除去部３をブラシ部２からずらすような力が作用しても、側壁部２３によって移動が規制されるため、除去部３はブラシ部２の所定の位置に保持される。
【００２９】
また、凹部２ａの底面２１ｂには、凸条２１ａが、平面視で環状に形成されている（図４（ａ）参照）。凸条２１ａは、底面２１ｂから頂部までが所定の高さ（たとえば、０．２〜１．５ｍｍ程度）になるように形成されており、また、凸条２１ａは、側壁部２３の内側面と一定の間隔（たとえば、３〜７ｍｍ程度）を隔てて形成されている（本実施形態では凸条の高さが０．５ｍｍで上記間隔が５．０ｍｍに設定されている）。
【００３０】
除去部３は、きめの細かいスポンジ状の部材（密度；１４５ｋｇ／ｍ３、硬度；２０）であり、所定の厚さの板状体である。除去部３の厚さは、凹部２ａの深さよりも大きく設定されている。なお、除去部３の密度や硬度は本実施形態のものに限定されるものではなく、例えば密度に関しては、１２〜１７ｋｇ／ｍ３程度の範囲で設定されるのが好ましく、また硬度に関してはＪＩＳ  Ｋ  ７３１２に規定するＣ硬度であり、１６〜２４の範囲で設定されるのが好ましい。除去部３の密度および硬度を上記の範囲に設定することにより、使用感に優れ、効果的に毛などの塵芥を丸めて除去することができる。
【００３１】
除去部３は、ブラシ部２に形成された凹部２ａの平面形状に対応した平面形状を呈している。除去部３は、その一方の面（以下、接着面３ｂという）を底面２１ｂへ向けて凹部２ａ内に装着される。また、除去部３の他方の面（以下、擦り面３ａという）は、除去部３が凹部２ａに嵌め入れられた状態で、側壁部２３の先端よりも突出した状態になる。擦り面３ａは、カーペットや衣類などに付着した毛を取り除く際に、カーペットや衣類の表面に対して当接させて、擦り付けられる面となる。したがって、布等に擦り付けられる除去部３は、大きな摩擦力を受け易いため、除去部３は、ブラシ部２に対して、接着剤により、除去部３を布等に擦り付けた際の摩擦力を受けても互いが分離しない程度に強固に一体化される。擦り面３ａには、溝３ａ１が、複数形成されている。擦り面３ａを布等に擦り付けた際に、束状にまとまった毛等が、この溝内に溜まる。溝３ａ１は、除去部３の長手方向に延びるように形成される。
【００３２】
除去部３の材質としては、たとえば、天然ゴムや、ウレタンゴム、エチレンプロピレンゴム、クロロプレンゴム、ニトリルゴム、シリコーンゴムなどの合成ゴムを原料ゴムとして、有機発泡剤・架橋剤・軟化剤・補強剤を練りこみ発泡させた樹脂製スポンジなどが挙げられる。本実施の形態では、除去部３の材質として、カーペットに対して所定の範囲の動摩擦係数に設定される。具体的には、この動摩擦係数は、例えばＪＩＳ  Ｋ  ７１２５（荷重：２００ｇ、試験速度：１００ｍｍ／ｍｉｎ）に準拠して、除去部３とカーペット表面との間のものが計測され、例えば１．７０〜１．７３の範囲に設定されるのが好ましい。また、布等に散乱した毛を束状にしてまとめて除去できるという理由から、エチレンプロピレンゴム（ＥＰＤＭ）を用いている。
【００３３】
先に述べたように、本実施の形態の清掃具付ブラシ１００のブラシ部２と除去部３とは、接着剤Ａを用いて接着される。
【００３４】
接着剤Ａとしては、たとえば、東亞合成株式会社のアロンアルファ（登録商標）２０を用いている。また、プライマー処理としては、例えば株式会社テロソンコーポレーションのミッチャクロン（登録商標）マルチ（成分トルエン、キシレン）を用いている。
【００３５】
接着剤Ａは、基部２１の底面２１ｂに対して、凸条２１ａの外側であって、側壁部２３の内側（つまり、底面２１ｂの周縁部分）に塗布される（図５（ａ）、図５（ｂ）参照）。また、接着剤Ａは、凸条２１ａの高さを超えない程度に、６０〜１００ｇ／ｍ２塗布される（本実施形態では８０ｇ／ｍ２）。除去部３が凹部２ａに嵌め入れられるとともに、接着剤Ａの塗布量と塗布位置とが特定されることによって、過剰な接着剤の塗布を避けつつ、接着箇所のバランスの取れた状態に保ち、ブラシ部２と除去部３との確実な一体化を図ることができる。
【００３６】
さらに、接着剤Ａの塗布位置が凸条２１ａを境に特定されることで、接着剤Ａの塗布作業が容易になる。すなわち、凸条２１ａが接着剤塗布作業（塗布位置の特定、塗布量の調整）の目安となって、作業が効率的に行われる。そして、凸条２１ａは、接着剤Ａが塗布された後にも堤のごとく機能し、接着剤Ａが環状の凸条２１ａの内方へ流出するのを防ぐ。これによって、ブラシ部２の底面２１ｂと除去部３の接着面３ｂとの接着箇所が所定の位置に定まり、ブラシ部２の底面２１ｂと除去部３の接着面３ｂとが効果的に接着される。
【００３７】
この清掃具付ブラシ１００の使用方法について、以下で説明する。
【００３８】
たとえば、毛足の長い犬の毛並みを、カーペット上で整える場合には、作業者は、まず、犬に対して清掃具付ブラシ１００のブラシ部２を当てて、ブラッシングする。このとき、ブラシ部２の突起２２には、犬の毛が絡まって抜ける。抜け落ちた犬の毛は、カーペット上に散乱し、付着する。
【００３９】
作業者が犬のグルーミングの作業を終えると、作業者は、清掃具付ブラシ１００をひっくり返して、速やかにカーペット上に付着した犬の毛を取り除く作業に移行する。この際、作業者は、使用したブラシを所定の場所に片付けたり、カーペットに付着した毛を除去するための除去具を探して持って来たりする手間を省くことができる。
【００４０】
カーペット上に付着した犬の毛を取り除く作業では、作業者は、カーペットの上面に対して除去部３の擦り面３ａを当てて、擦り付ける作業を繰り返しながらカーペット上の毛を束状にまとめて除去する。このとき、清掃対象物の表面と除去部３の擦り面３ａとが擦れ合うことで、両者の間に静電作用が生じ、カーペット中の塵芥は、除去部３に吸引・吸着され、払拭される。
【００４１】
以上の実施の形態によれば、清掃具付ブラシ１００は、ブラシ部２と除去部３とが一体に設けられたものである。すなわち、愛玩動物の毛並みを整える場合には、清掃具付ブラシ１００のブラシ部２が用いられ、布等の清掃対象物に付着した毛などの塵芥を払拭する場合には、清掃具付ブラシ１００の除去部３が用いられる。これらブラシ部２と除去部３とが一体にされていることで、２個の別個の物体を持ち運ぶよりも携帯し易く、保管・管理に関しても保管場所等の分別が必要なく、保管・管理を容易に行うことができる。したがって、愛玩動物の毛並みを整えることができるとともに、清掃対象物に付着した毛などの塵芥を容易に除去することができ、携帯、保管および管理を容易に行うことができる。しかも、毛並みを整える作業から、清掃対象物に付着した塵芥を払拭する作業への移行も、速やかに完了することができる。
【００４２】
なお、上記実施の形態では、突起２２が略円錐状を呈した主柱２２ａと、その側面に形成された４つのリブとによって構成された形態について説明したが、本発明はこれに限定されるものではない。たとえば、図４（ｂ）に示されるように、平面視で十字状を呈した柱体によって構成された突起２２’であってもよい。この場合、突起２２を上記十字状柱体として構成することにより、愛玩動物の毛並みを整え、むだ毛を除去したり、布等の清掃対象物に付着した毛などの塵芥を払拭したりすることができ、しかも十字状に構成されているため、前後左右のいずれの方向でブラッシングしても上記効果を同等に得ることができる。
【００４３】
また、上記実施の形態では、清掃具付ブラシ１００が、ブラシ部２と除去部３とにより構成された形態について説明したが、本発明はこれに限定されるものではなく、ブラシ部２と除去部３とに加え、清掃具付ブラシを把持し易くするための把持部などを追加的に設けた形態であってもよい。
【００４４】
また、上記実施の形態では、清掃具付ブラシ１００の使用方法において、カーペット上に付着した毛を除去する場合について説明したが、本発明はこれに限定されるものではなく、犬の散歩の途中に、屋外で、清掃具付ブラシ１００を使用してグルーミングの作業を行う場合にも効果的に機能する。すなわち、屋外では、清掃具付ブラシ１００の除去部３を、グルーミングの作業者の衣類などに付着した毛を除去するために用いることができる。この際にも、ブラシ部２と除去部３とが一体になっていることにより、清掃具付ブラシ１００の携帯が容易で、愛玩動物の世話がたやすくなる。とくに、犬の散歩の際には、飼い主は犬の排泄物の処理具などを携帯する必要があり、所持品が増える傾向がある。そのため、散歩時の所持品の点数を抑えることは、愛玩動物の世話のし易さという観点から極めて有効である。
【００４５】
また、上記実施の形態では、ブラシ部２の背面の略全域にわたって除去部３が設けられている形態について説明したが、本発明はこれに限定されるものではなく、ブラシ部２の背面の一部の範囲に除去部３を設ける形態であってもよい。
【符号の説明】
【００４６】
２  ブラシ部
２ａ  凹部
２１  基部（板状体）
２１ａ  凸条
２１ｂ  底面（他方の面）
２２、２２’  突起
３  除去部
１００  清掃具付ブラシ
Ａ  接着剤
【図１】
2011050353.tif 000003
【図２】
2011050353.tif 000004
【図３】
2011050353.tif 000005
【図４】
2011050353.tif 000006
【図５】
2011050353.tif 000007